【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
通信相手装置との間で複数の通信インタフェースを同時接続可能であり、前記通信相手装置から音データを前記通信インタフェースにより転送させる複数の接続手段と、
通信相手装置から前記複数の通信インタフェースのうち何れかにより前記複数の接続手段のうち何れかへ転送された音データを選択的に音データ出力手段から出力させる制御手段と、を備え、
前記制御手段は、前記複数の通信インタフェースのうち前回の装置電源がオフした直前で前記音データ出力手段から音データを出力させていた通信インタフェースが一の通信インタフェースであると判定した場合に、前記複数の通信インタフェースのうち前記一の通信インタフェースを除く他の通信インタフェースを接続させずに、前記一の通信インタフェースを接続させ、前記通信相手装置から前記一の通信インタフェースにより転送された音データを前記音データ出力手段から出力させることを特徴とする近距離無線通信装置。
【請求項２】
請求項１に記載した近距離無線通信装置において、
前記制御手段は、前記一の通信インタフェースが有線回線による通信インタフェースである場合には、前記有線回線による通信インタフェースが物理的に接続されていることを条件に、前記複数の通信インタフェースのうち前記一の通信インタフェースを除く他の通信インタフェースを接続させずに、前記一の通信インタフェースを接続させ、前記通信相手装置から前記一の通信インタフェースにより転送された音データを前記音データ出力手段から出力させることを特徴とする近距離無線通信装置。
【請求項３】
請求項１又は２に記載した近距離無線通信装置において、
前記複数の接続手段は、音データを複数の通信インタフェースのうち最後に接続された通信インタフェースにより転送可能な後優先の機種、又は音データを複数の通信インタフェースのうち最初に接続された通信インタフェースにより転送可能な先優先の機種である通信相手装置との間で複数の通信インタフェースを同時接続可能であることを特徴とする近距離無線通信装置。
【請求項４】
通信相手装置との間で複数の通信インタフェースを同時接続可能であり、前記通信相手装置から音データを前記通信インタフェースにより転送させる複数の接続手段と、
通信相手装置から前記複数の通信インタフェースのうち何れかにより前記複数の接続手段のうち何れかへ転送された音データを選択的に音データ出力手段から出力させる制御手段と、を備え、
前記制御手段は、前記複数の通信インタフェースのうち一の通信インタフェースによる音データの出力開始要求が発生した場合に、前記複数の通信インタフェースのうち前記一の通信インタフェースを除く他の通信インタフェースが接続されていると、前記他の通信インタフェースを切断させてから前記一の通信インタフェースを接続させ、前記通信相手装置から前記一の通信インタフェースにより転送された音データを前記音データ出力手段から出力させることを特徴とする近距離無線通信装置。
【手続補正２】
【補正対象書類名】明細書
【補正対象項目名】０００６
【補正方法】変更
【補正の内容】
【０００６】
請求項１に記載した発明によれば、複数の接続手段は、通信相手装置との間で複数の通信インタフェースを同時接続可能であり、通信相手装置から音データを通信インタフェースにより転送させる。制御手段は、通信相手装置から複数の通信インタフェースのうち何れかにより複数の接続手段のうち何れかへ転送された音データを選択的に音データ出力手段から出力させる。ここで、制御手段は、複数の通信インタフェースのうち前回の装置電源がオフした直前で音データ出力手段から音データを出力させていた通信インタフェースが一の通信インタフェースであると判定すると、複数の通信インタフェースのうち一の通信インタフェースを除く他の通信インタフェースを接続させずに、一の通信インタフェースを接続させ、通信相手装置から一の通信インタフェースにより転送された音データを音データ出力手段から出力させる。
【手続補正３】
【補正対象書類名】明細書
【補正対象項目名】０００７
【補正方法】変更
【補正の内容】
【０００７】
これにより、前回の装置電源がオフした直前で音データを送信させていた通信インタフェースが何れであるかを判定した後に、前回の装置電源がオフした直前で音データを送信させていた通信インタフェースと同じ通信インタフェースを接続させることにより、近距離無線通信装置のデータ通信相手である通信相手装置が何れの機種に該当するかを判定する必要がなく、しかも、近距離無線通信装置のデータ通信相手である通信相手装置が何れの機種であっても、通信相手装置から音データを適切に送信させることができる。
【手続補正４】
【補正対象書類名】明細書
【補正対象項目名】０００８
【補正方法】変更
【補正の内容】
【０００８】
請求項２に記載した発明によれば、制御手段は、一の通信インタフェースが有線回線による通信インタフェースである場合には、有線回線による通信インタフェースが物理的に接続されていることを条件に、複数の通信インタフェースのうち一の通信インタフェースを除く他の通信インタフェースを接続させずに、一の通信インタフェースを接続させ、通信相手装置から一の通信インタフェースにより転送された音データを音データ出力手段から出力させる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項３に記載した発明によれば、複数の接続手段は、音データを複数の通信インタフェースのうち最後に接続された通信インタフェースにより転送可能な後優先の機種、又は音データを複数の通信インタフェースのうち最初に接続された通信インタフェースにより転送可能な先優先の機種である通信相手装置との間で複数の通信インタフェースを同時接続可能である。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項４に記載した発明によれば、複数の接続手段は、通信相手装置との間で複数の通信インタフェースを同時接続可能であり、通信相手装置から音データを通信インタフェースにより転送させる。制御手段は、通信相手装置から複数の通信インタフェースのうち何れかにより複数の接続手段のうち何れかへ転送された音データを選択的に音データ出力手段から出力させる。ここで、制御手段は、複数の通信インタフェースのうち一の通信インタフェースによる音データの出力開始要求が発生した場合に、複数の通信インタフェースのうち一の通信インタフェースを除く他の通信インタフェースが接続されていると、他の通信インタフェースを切断させてから一の通信インタフェースを接続させ、通信相手装置から一の通信インタフェースにより転送された音データを音データ出力手段から出力させる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】